【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
交流電源の各相と負荷の１つの相を該交流電源の各相に別個に設置したスイッチング素子を介して接続する回路を前記負荷の各相ごとに設ける構成のマトリクスコンバータ装置の出力電圧をＰＷＭ出力し、かつ転流の際に電源短絡と負荷端子の開放が発生しないようにして負荷電流を転流させると共に、この負荷電流の転流の際にこれら各スイッチング素子の転流動作にデッドタイム時間を設けているマトリクスコンバータ装置の制御方法において、
１キャリア制御周期内に出力不可能な電圧指令が発生する場合、前記出力不可能な電圧指令を保持するとともにその１キャリア制御周期内での電圧指令はゼロとし、次の１キャリア制御周期の電圧指令に前記出力不可能な電圧指令を加算した値に次の１キャリア制御周期内の電圧指令を変更することを特徴とするマトリクスコンバータ装置の制御方法。
【請求項２】
交流電源の各相と負荷の１つの相を該交流電源の各相に別個に設置したスイッチング素子を介して接続する回路を前記負荷の各相ごとに設ける構成のマトリクスコンバータ装置の出力電圧をＰＷＭ出力し、かつ転流の際に電源短絡と負荷端子の開放が発生しないようにして負荷電流を転流させると共に、この負荷電流の転流の際にこれら各スイッチング素子の転流動作にデッドタイム時間を設けているマトリクスコンバータ装置の制御方法において、
１キャリア制御周期内のＰＷＭスイッチング時間が、予め設定された設定値より短い場合、そのＰＷＭスイッチング時間を保持するとともにその1キャリア制御周期内のＰＷＭスイッチング時間はゼロとし、次の１キャリア制御周期のＰＷＭスイッチング時間に前記保持したＰＷＭスイッチング時間を加算した値に次の１キャリア制御周期のＰＷＭスイッチング時間を変更することを特徴とするマトリクスコンバータ装置の制御方法。
【請求項３】
交流電源の各相と負荷の１つの相を該交流電源の各相に別個に設置したスイッチング素子を介して接続する回路を前記負荷の各相ごとに設ける構成のマトリクスコンバータ装置の出力電圧をＰＷＭ出力し、かつ転流の際に電源短絡と負荷端子の開放が発生しないようにして負荷電流を転流させると共に、この負荷電流の転流の際にこれら各スイッチング素子の転流動作にデッドタイム時間を設けているマトリクスコンバータ装置の制御方法において、
１キャリア制御周期内のＰＷＭスイッチング時間が、予め設定された設定値より短い場合、そのＰＷＭスイッチング時間から出力電圧を演算し、その出力電圧を保持するとともにその１キャリア制御周期内のＰＷＭスイッチング時間は零とし、次の１キャリア制御周期の電圧指令に前記保持した電圧指令を加算した値に次の１キャリア制御周期内の電圧指令を変更することを特徴とするマトリクスコンバータ装置の制御方法。
【請求項４】
交流電源の各相と負荷の１つの相を該交流電源の各相に別個に設置したスイッチング素子を介して接続する回路を前記負荷の各相ごとに設ける構成のマトリクスコンバータ装置の出力電圧をＰＷＭ出力し、かつ転流の際に電源短絡と負荷端子の開放が発生しないようにして負荷電流を転流させると共に、この負荷電流の転流の際にこれら各スイッチング素子の転流動作にデッドタイム時間を設けているマトリクスコンバータ装置において、
１キャリア制御周期内に出力不可能な電圧指令が発生する場合、前記出力不可能な前記電圧指令を保持するとともにその１キャリア制御周期内での電圧指令は零とし、次の１キャリア制御周期の電圧指令に前記出力不可能な電圧指令を加算した値に次の１キャリア制御周期内の電圧指令を変更することを特徴とするマトリクスコンバータ装置。
【請求項５】
交流電源の各相と負荷の１つの相を該交流電源の各相に別個に設置したスイッチング素子を介して接続する回路を前記負荷の各相ごとに設ける構成のマトリクスコンバータ装置の出力電圧をＰＷＭ出力し、かつ転流の際に電源短絡と負荷端子の開放が発生しないようにして負荷電流を転流させると共に、この負荷電流の転流の際にこれら各スイッチング素子の転流動作にデッドタイム時間を設けているマトリクスコンバータ装置において、
１キャリア制御周期内のＰＷＭスイッチング時間が、予め設定された設定値より短い場合、そのＰＷＭスイッチング時間を保持するとともにその1キャリア制御周期内のＰＷＭスイッチング時間は零とし、次の１キャリア制御周期のＰＷＭスイッチング時間に前記保持したＰＷＭスイッチング時間を加算した値に次の１キャリア制御周期のＰＷＭスイッチング時間を変更することを特徴とするマトリクスコンバータ装置。
【請求項６】
交流電源の各相と負荷の１つの相を該交流電源の各相に別個に設置したスイッチング素子を介して接続する回路を前記負荷の各相ごとに設ける構成のマトリクスコンバータ装置の出力電圧をＰＷＭ出力し、かつ転流の際に電源短絡と負荷端子の開放が発生しないようにして負荷電流を転流させると共に、この負荷電流の転流の際にこれら各スイッチング素子の転流動作にデッドタイム時間を設けているマトリクスコンバータ装置において、
１キャリア制御周期内のＰＷＭスイッチング時間が、予め設定された設定値より短い場合、そのＰＷＭスイッチング時間から出力電圧を演算し、その出力電圧を保持するとともにその１キャリア制御周期内のＰＷＭスイッチング時間は零とし、次の１キャリア制御周期の電圧指令に前記保持した電圧指令を加算した値に次の１キャリア制御周期内の電圧指令を変更することを特徴とするマトリクスコンバータ装置。
【手続補正２】
【補正対象書類名】明細書
【補正対象項目名】０００２
【補正方法】変更
【補正の内容】
【０００２】
図６は従来のマトリクスコンバータのブロック回路図である。図において、１は三相交流電源、２は交流ラインフィルタ、３は電源電圧検出手段、４はゲートドライバ、５は転流切り替えシーケンス、６は出力電圧をPWM出力するためのコントローラ、７はマトリクスコンバータの転流を行うための各相出力電流の方向を判断するための電流方向検出回路群、８は交流モータ、９はマトリクスコンバータ、１０〜１８はマトリクスコンバータを構成する双方向スイッチである。マトリクスコンバータは１相につき３つの双方向スイッチング素子を接続しているので、３相で合計９つの双方向スイッチング素子を備えている。このマトリクスコンバータに交流電源から三相交流電力を供給し、これら各双方向スイッチング素子を適切に制御して順次オン・オフ動作をさせるならば、直接変換により所望の電圧と周波数の三相交流電力が得られる。
【手続補正３】
【補正対象書類名】明細書
【補正対象項目名】０００７
【補正方法】変更
【補正の内容】
【０００７】
上記問題を解決するため、本発明は、次のように構成したのである。
本発明は、交流電源の各相と負荷の１つの相を該交流電源の各相に別個に設置したスイッチング素子を介して接続する回路を前記交流負荷の各相ごとに設ける構成のマトリクスコンバータ装置で、これらのスイッチングパターンを切り替える際に電源短絡と負荷端子の開放が発生しないようにして負荷電流を転流させると共に、この負荷電流の転流の際にこれら各スイッチング素子の転流動作にデッドタイム時間を設けているマトリクスコンバータ装置において、実際には出力不可能な電圧指令が発生する際に、前記出力不可能な電圧指令を保持するとともにその１キャリア制御周期内での電圧指令は零とし、次の１キャリア制御周期内の電圧指令にその保持した出力不可能な電圧指令を加算した値に次の１キャリア制御周期内の電圧指令を変更することで、時間平均値が電圧指令通りの電圧を出力することを特徴とするマトリクスコンバータ装置としたものである。